(57)【要約】【課題】テコの原理を利用してヘッド部を押し下げる操作を安定的に行うことが可能な構造の液剤吐出容器を提供する。【解決手段】液剤吐出容器は、容器本体と、ヘッド部３０と、容器本体に装着されるとともにヘッド部３０を上下動可能に保持している装着部５２と、装着部５２に対して揺動可能に軸支部において軸支されているとともにヘッド部３０を上方から覆っているカバー部２０と、を備えている。カバー部２０は、ヘッド部３０の上方に位置する頂部２１ａと、軸支部の軸方向に対して平行な方向においてヘッド部３０の両側に位置していてそれぞれ前後方向に延在する一対の側壁部２１ｂ、２１ｃと、を含み、軸支部の軸方向に対して平行で鉛直な断面において上に凸に湾曲している。【選択図】図３
2017197203.tif 000002
【特許請求の範囲】
【請求項１】
液剤を貯留する容器本体と、
吐出口を有しているとともに、前記容器本体に対して相対的に押し下げられることにより前記吐出口から前記液剤を吐出するヘッド部と、
前記容器本体に装着されるとともに、前記ヘッド部を上下動可能に保持している装着部と、
前記装着部に対して揺動可能に軸支部において軸支されているとともに前記ヘッド部を上方から覆っているカバー部と、
を備え、
前記カバー部と前記ヘッド部とは、前記カバー部から前記ヘッド部に対して押下力を伝達する作用部であって前記カバー部の揺動先端部と前記軸支部との間に位置する作用部において相互に連結されており、
前記カバー部が押下操作されることにより、前記カバー部が前記軸支部を支点として前記装着部に対して揺動しながら、前記作用部において前記カバー部から前記ヘッド部に押下力が伝達されて、前記ヘッド部が前記装着部及び前記容器本体に対して相対的に押し下げられるように構成されており、
平面視において前記軸支部を基準として前記カバー部の揺動先端側が前方であり、
前記カバー部は、前記ヘッド部の上方に位置する頂部と、前記軸支部の軸方向に対して平行な方向において前記ヘッド部の両側に位置していてそれぞれ前後方向に延在する一対の側壁部と、を含み、前記軸支部の軸方向に対して平行で鉛直な断面において上に凸に湾曲している液剤吐出容器。
【請求項２】
前記ヘッド部は、
ヘッド本体部と、
前記ヘッド本体部から前方に突出し、前記吐出口が形成されているノズル部と、
を備え、
前記一対の側壁部の下端は、前記ヘッド本体部の上面よりも下方に位置している請求項１に記載の液剤吐出容器。
【請求項３】
前記作用部は、前記ヘッド部の側面に配置され、
当該液剤吐出容器を前記軸支部の軸方向に視た側面視において、前記カバー部は、前記作用部を覆っている請求項１又は２に記載の液剤吐出容器。
【請求項４】
前記作用部は、
前記ヘッド部又は前記カバー部の一方から水平方向成分を持つ方向に突出した状態に形成されている突起部と、
前記ヘッド部又は前記カバー部の他方に形成され、前記突起部に対して摺動しながら前記突起部を下方に押し下げるか又は前記突起部により下方に押し下げられる作用面と、
を含み、
前記作用面は、前記カバー部の揺動角度が第１角度のときと、前記揺動角度が前記第１角度とは異なる第２角度のときと、の各々において、前記作用面における前記突起部との接触部位が水平となる曲面形状に形成されている請求項１から３のいずれか一項に記載の液剤吐出容器。
【請求項５】
前記カバー部の前記一対の側壁部の各々は、鉛直に起立している部分を含む請求項１から４のいずれか一項に記載の液剤吐出容器。
【請求項６】
前記カバー部は上に凸のドーム状に形成されている請求項１から５のいずれか一項に記載の液剤吐出容器。
【請求項７】
前記ヘッド部は、
ヘッド本体部と、
前記ヘッド本体部から前方に突出し、前記吐出口が形成されているノズル部と、
を備え、
前記カバー部は、
平面視において前記ヘッド本体部の全体を覆っている請求項１から６のいずれか一項に記載の液剤吐出容器。
【請求項８】
前記カバー部の上面の前端部は、前方に向けて下り傾斜している請求項１から７のいずれか一項に記載の液剤吐出容器。
【請求項９】
液剤を貯留する容器本体に装着される装着部と、
前記装着部に対して上下動可能に前記装着部に保持されているヘッド部であって、吐出口を有しているとともに前記装着部に対して相対的に押し下げられることにより前記吐出口から前記液剤を吐出するヘッド部と、
前記装着部に対して揺動可能に軸支部において軸支されているとともに前記ヘッド部を上方から覆っているカバー部と、
を備え、
前記カバー部と前記ヘッド部とは、前記カバー部から前記ヘッド部に対して押下力を伝達する作用部であって前記カバー部の揺動先端部と前記軸支部との間に位置する作用部において相互に連結されており、
前記カバー部が押下操作されることにより、前記カバー部が前記軸支部を支点として前記装着部に対して揺動しながら、前記作用部において前記カバー部から前記ヘッド部に押下力が伝達されて、前記ヘッド部が前記装着部に対して相対的に押し下げられるように構成されており、
平面視において前記軸支部を基準として前記カバー部の揺動先端側が前方であり、
前記カバー部は、前記ヘッド部の上方に位置する頂部と、前記軸支部の軸方向に対して平行な方向において前記ヘッド部の両側に位置していてそれぞれ前後方向に延在する一対の側壁部と、を含み、前記軸支部の軸方向に対して平行で鉛直な断面において上に凸に湾曲している液剤吐出器付きキャップ。
【請求項１０】
請求項１から８のいずれか一項に記載の液剤吐出容器と、
前記容器本体に充填された前記液剤と、
を備える液剤吐出容器詰め品。
【発明の詳細な説明】
【技術分野】
【０００１】
本発明は、液剤吐出容器、液剤吐出器付きキャップ及び液剤吐出容器詰め品に関する。
【背景技術】
【０００２】
特許文献１には、容器本体に装着される液剤吐出器付きキャップ（液体注出ポンプ）に関し、容器本体に貯留されている液剤を吐出するためにヘッド部を押し下げる操作を、テコの原理を利用することによって小さな力で行うことができるようにする技術について記載されている。
特許文献１の液剤吐出器付きキャップは、容器本体の口頸部に装着されるキャップ本体と、キャップ本体の後端から立設されている柱状支持部と、ヘッド部を押し下げるための操作を受け付ける押し下げ板と、を備えている。
押し下げ板は、平面形状が前後方向に長い長方形をなしており、押し下げ板の後端は、薄肉ヒンジを介して、柱状支持部の上端部に接続されている。ヘッド部は、キャップ本体に対して上下動可能に、キャップ本体により保持されているとともに、押し下げ板の長手方向における中央部の下側に配置されている。
そして、押し下げ板の前端側が下がるように薄肉ヒンジを支点として押し下げ板を押し下げる操作を行うことによって、押し下げ板を介してヘッド部を押し下げて、液剤を吐出できるようになっている。
【先行技術文献】
【特許文献】
【０００３】
【特許文献１】実開平５−７３５９号公報
【発明の概要】
【発明が解決しようとする課題】
【０００４】
特許文献１の液剤吐出器付きキャップを用いた吐出操作は、前後に長尺な押し下げ板を押し下げる操作であるため、吐出操作の際に容器がぐらつきやすい。このため、吐出操作の際に容器が転倒しやすい、或いは、容器の転倒を避けるため押し下げ板に対して注意深くほぼ鉛直下方の押し下げ力を加える必要がある、といった課題がある。
【０００５】
本発明は、上記の課題に鑑みなされたものであり、テコの原理を利用してヘッド部を押し下げる操作をより安定的に行うことが可能な構造の液剤吐出容器、液剤吐出器付きキャップ及び液剤吐出容器詰め品に関する。
【課題を解決するための手段】
【０００６】
本発明は、液剤を貯留する容器本体と、吐出口を有しているとともに、前記容器本体に対して相対的に押し下げられることにより前記吐出口から前記液剤を吐出するヘッド部と、前記容器本体に装着されるとともに、前記ヘッド部を上下動可能に保持している装着部と、前記装着部に対して揺動可能に軸支部において軸支されているとともに前記ヘッド部を上方から覆っているカバー部と、を備え、前記カバー部と前記ヘッド部とは、前記カバー部から前記ヘッド部に対して押下力を伝達する作用部であって前記カバー部の揺動先端部と前記軸支部との間に位置する作用部において相互に連結されており、前記カバー部が押下操作されることにより、前記カバー部が前記軸支部を支点として前記装着部に対して揺動しながら、前記作用部において前記カバー部から前記ヘッド部に押下力が伝達されて、前記ヘッド部が前記装着部及び前記容器本体に対して相対的に押し下げられるように構成されており、平面視において前記軸支部を基準として前記カバー部の揺動先端側が前方であり、前記カバー部は、前記ヘッド部の上方に位置する頂部と、前記軸支部の軸方向に対して平行な方向において前記ヘッド部の両側に位置していてそれぞれ前後方向に延在する一対の側壁部と、を含み、前記軸支部の軸方向に対して平行で鉛直な断面において上に凸に湾曲している液剤吐出容器を提供するものである。
【０００７】
また、本発明は、液剤を貯留する容器本体に装着される装着部と、前記装着部に対して上下動可能に前記装着部に保持されているヘッド部であって、吐出口を有しているとともに前記装着部に対して相対的に押し下げられることにより前記吐出口から前記液剤を吐出するヘッド部と、前記装着部に対して揺動可能に軸支部において軸支されているとともに前記ヘッド部を上方から覆っているカバー部と、を備え、前記カバー部と前記ヘッド部とは、前記カバー部から前記ヘッド部に対して押下力を伝達する作用部であって前記カバー部の揺動先端部と前記軸支部との間に位置する作用部において相互に連結されており、前記カバー部が押下操作されることにより、前記カバー部が前記軸支部を支点として前記装着部に対して揺動しながら、前記作用部において前記カバー部から前記ヘッド部に押下力が伝達されて、前記ヘッド部が前記装着部に対して相対的に押し下げられるように構成されており、平面視において前記軸支部を基準として前記カバー部の揺動先端側が前方であり、前記カバー部は、前記ヘッド部の上方に位置する頂部と、前記軸支部の軸方向に対して平行な方向において前記ヘッド部の両側に位置していてそれぞれ前後方向に延在する一対の側壁部と、を含み、前記軸支部の軸方向に対して平行で鉛直な断面において上に凸に湾曲している液剤吐出器付きキャップを提供するものである。
【０００８】
また、本発明は、本発明の液剤吐出容器と、前記容器本体に充填された前記液剤と、を備える液剤吐出容器詰め品を提供するものである。
【発明の効果】
【０００９】
本発明によれば、ヘッド部を押し下げる操作をより安定的に行うことが可能となる。
【図面の簡単な説明】
【００１０】
【図１】実施形態に係る液剤吐出容器詰め品の側面図である。
【図２】実施形態に係る液剤吐出器付きキャップの側面図である。
【図３】実施形態に係る液剤吐出器付きキャップを示す図であり、このうち（ａ）は平面図、（ｂ）は（ａ）のＢ−Ｂ線に沿ったカバー部の切断端面図である。
【図４】実施形態に係る液剤吐出器付きキャップの上部を示す図であり、このうち（ａ）は正面図、（ｂ）は背面図である。
【図５】実施形態に係る液剤吐出器付きキャップの一連の動作を示す図であり、このうち（ａ）は液剤吐出器付きキャップの上部の斜視図、（ｂ）は液剤吐出器付きキャップの上部の側面図である。
【図６】実施形態に係る液剤吐出器付きキャップの一連の動作を示す図であり、このうち（ａ）は液剤吐出器付きキャップの上部の斜視図、（ｂ）は液剤吐出器付きキャップの上部の側面図である。
【図７】実施形態に係る液剤吐出器付きキャップの一連の動作を示す図であり、このうち（ａ）は液剤吐出器付きキャップの上部の斜視図、（ｂ）は液剤吐出器付きキャップの上部の側面図である。
【発明を実施するための形態】
【００１１】
以下、本発明の実施形態について、図面を用いて説明する。なお、すべての図面において、同様の構成要素には同一の符号を付し、重複する説明は適宜に省略する。
【００１２】
図１ないしは図７に示すように、本実施形態に係る液剤吐出容器１００は、液剤１５０を貯留する容器本体１０と、吐出口４１を有しているとともに容器本体１０に対して相対的に押し下げられることにより吐出口４１から液剤１５０を吐出するヘッド部３０と、容器本体１０に装着されるとともにヘッド部３０を上下動可能に保持している装着部５２と、装着部５２に対して揺動可能に軸支部（例えば軸部２２と軸支凹部５４ａとにより構成される）において軸支されているとともにヘッド部３０を上方から覆っているカバー部２０と、を備えている。
カバー部２０とヘッド部３０とは、カバー部２０からヘッド部３０に対して押下力を伝達する作用部（例えば突起部３３と作用面２６ａとにより構成される）であってカバー部２０の揺動先端部と軸支部との間に位置する作用部において相互に連結されている。
ここで、作用部においてカバー部２０とヘッド部３０とが連結されている状態には、カバー部２０とヘッド部３０とが係合している状態に限らず、単にカバー部２０とヘッド部３０とが接している状態も含まれる。
カバー部２０が押下操作されることにより、カバー部２０が軸支部を支点として装着部５２に対して揺動しながら、作用部においてカバー部２０からヘッド部３０に押下力が伝達されて、ヘッド部３０が装着部５２及び容器本体１０に対して相対的に押し下げられるように、液剤吐出容器１００は構成されている。
【００１３】
ここで、本明細書では、図１及び図２の左方向を前方、右方向を後方と称する。ここで、前方は、平面視において軸支部を基準としてカバー部２０の揺動先端側の方向である。
また、図１及び図２の紙面の奥側方向を左方、手前側方向を右方と称する。なお、軸支部の軸方向は左右方向となっている。
図１、図２、図３（ａ）、図４（ａ）、図４（ｂ）、図５（ａ）及び図５（ｂ）に示す状態は、カバー部２０及びヘッド部３０が押し下げられていない通常時の状態（常態）である。
一方、図７（ａ）及び図７（ｂ）に示す状態は、カバー部２０及びヘッド部３０が下限位置まで押し下げられた状態（以下、単に押下状態という場合がある）である。
また、図６（ａ）及び図６（ｂ）に示す状態は、常態と押下状態との中間の状態である。
【００１４】
図４（ａ）及び（ｂ）に示すように、カバー部２０は、ヘッド部３０の上方に位置する頂部２１ａと、軸支部の軸方向に対して平行な方向においてヘッド部３０の両側に位置していてそれぞれ前後方向に延在する一対の側壁部２１ｂ、２１ｃと、を含む。そして、図３（ｂ）に示すように、カバー部２０は、軸支部の軸方向に対して平行で鉛直な断面において上に凸に湾曲している。
このため、ユーザーは、カバー部２０を手で包み込むようにしてカバー部２０を押下操作することができる。よって、カバー部２０に対する押下操作を、ぐらつきを抑制して安定的に行うことが容易となる。すなわち、テコの原理を利用してヘッド部３０を押し下げる操作をより安定的に行うことが可能である。
【００１５】
また、本実施形態に係る液剤吐出容器詰め品２００は、本実施形態に係る液剤吐出容器１００と、容器本体１０に充填された液剤１５０と、を備えて構成されている。
【００１６】
本実施形態では、液剤１５０として、泡状にして吐出されるものを例示する。このような液剤としては、ハンドソープを代表例として挙げることができるが、これに限られず、洗顔料、クレンジング剤、食器用洗剤、整髪料、ボディソープ、髭剃り用クリーム、ファンデーションや美容液等の肌用化粧料、染毛剤、消毒薬など、泡状で用いられる種々のものを例示することができる。
なお、本発明における液剤１５０としては、泡状にして吐出されるものに限られず、流動性の液剤のまま吐出されるものも含まれ、そのような液剤１５０としては、ハンドソープ、洗顔料、クレンジング剤、食器用洗剤、整髪料、ボディソープ、髭剃り用ジェル、ファンデーションや美容液等の肌用化粧料、染毛剤、消毒薬などを例示することができる。
【００１７】
容器本体１０には、常圧で、または加圧されて、液剤１５０が貯留される。液剤吐出容器１００は、常圧で貯留された液剤１５０を空気と接触させることにより、または加圧下で貯留された液剤１５０を吐出時に大気圧に解放させることにより、液剤１５０を泡状に変化させる。本明細書では、泡状の液剤１５０を泡体と呼称して、容器本体１０に貯留されている非泡状の液剤１５０と区別する。
液剤吐出容器１００は、例えば、機械式のポンプ容器であり、カバー部２０を介して間接的にヘッド部３０を押下操作することにより、液剤１５０を泡体として吐出する。
ただし、本実施形態とは異なり、ボンベ等に貯留された高圧ガスなどを用いて液剤１５０（泡体）を吐出するように、液剤吐出容器が構成されていても良い。
【００１８】
容器本体１０の形状は特に限定されないが、例えば、図１に示すように、容器本体１０は、筒状の胴部１１と、胴部１１の上側に連接されていて上方に向けて内腔の平断面積が縮小する肩部１２と、肩部１２の上側に連接されている円筒状の口頸部１３と、胴部１１の下端を閉塞している底部１４と、を有する形状となっている。容器本体１０の材料は特に限定されないが、容器本体１０は、例えば、合成樹脂により成形されている。口頸部１３の上端には開口が形成されている。
【００１９】
また、本実施形態に係る液剤吐出器付きキャップ５０は、液剤吐出容器１００の構成のうち容器本体１０を除く部分により構成されている。
すなわち、液剤吐出器付きキャップ５０は、液剤１５０を貯留する容器本体１０に装着される装着部５２と、装着部５２に対して上下動可能に装着部に保持されているヘッド部３０であって吐出口４１を有しているとともに装着部５２に対して相対的に押し下げられることにより吐出口４１から液剤１５０を吐出するヘッド部３０と、装着部５２に対して揺動可能に軸支部において軸支されているとともにヘッド部３０を上方から覆っているカバー部２０と、を備えている。
【００２０】
装着部５２は、例えば螺合等の止着方法によって口頸部１３に対して着脱可能に装着されており、これにより、口頸部１３には、装着部５２、ヘッド部３０及びカバー部２０を含む液剤吐出器付きキャップ５０の全体が装着されている。口頸部１３に液剤吐出器付きキャップ５０が装着されることにより、液剤吐出器付きキャップ５０によって口頸部１３の開口が閉塞されている。
【００２１】
装着部５２は、内周面にねじ山が形成された筒状部と、筒状部の上端を当該上端の中央部を除いて閉塞している天面部と、を有している。
液剤吐出器付きキャップ５０は、更に、装着部５２の天面部から上方に向けて突出している筒状の中間筒５３を備えている。
【００２２】
ヘッド部３０は、例えば、ヘッド本体部３１と、ヘッド本体部３１から前方に突出しているノズル部４０と、を備えて構成されている。ノズル部４０には、吐出口４１が形成されている。吐出口４１は、例えば、ノズル部４０の先端部に形成されている。
ここで、一対の側壁部２１ｂ、２１ｃの下端は、ヘッド本体部３１の上面よりも下方に位置していることが好ましく、このようにすることによって、カバー部２０を押下操作する際に、カバー部２０とヘッド本体部３１との間に指を挟んでしまうことが抑制される。
ただし、一対の側壁部２１ｂ、２１ｃの下端は、ヘッド本体部３１の上面と同じ高さに位置していたり、或いは、ヘッド本体部３１の上面よりも上方に位置していたりしても良い。
【００２３】
より好ましくは、図５（ｂ）、図６（ｂ）及び図７（ｂ）に示すように、液剤吐出器付きキャップ５０を軸支部の軸方向に視た側面視において、カバー部２０は、ヘッド本体部３１の上面とカバー部２０との間の間隙６１（高さ方向におけるヘッド本体部３１とカバー部２０との間隙）の全体を覆っている。これにより、カバー部２０を押下操作する際に、カバー部２０とヘッド本体部３１との間に指を挟んでしまうことが更に好適に抑制されている。
【００２４】
ヘッド本体部３１は、中間筒５３の軸方向（つま上下方向に）に中間筒５３に対して相対移動可能に、中間筒５３によって保持されている。ヘッド本体部３１は、例えば、中間筒５３の外周面に沿って配置されている外筒部３２と、中間筒５３の内周面に沿って配置されている内筒部（不図示）と、を有する二重筒構造となっている。中間筒５３、外筒部３２及びヘッド本体部３１の内筒部の軸方向がそれぞれ上下方向となっており、ヘッド本体部３１は中間筒５３により上下方向にガイドされている。
ノズル部４０は、中空の筒状に形成されており、ノズル部４０の基端部は、例えば、ヘッド本体部３１の上端部に配置されている。ノズル部４０は、基端部においてヘッド本体部３１の内筒部の内部空間と連通している。ヘッド本体部３１の上端部は、内筒部とノズル部４０との連通箇所を除いて閉塞されている。
ノズル部４０の形状は特に限定されないが、一例として、ノズル部４０は、側面視では前方に向けて下り傾斜する弧状の湾曲形状（図１、図２参照）に形成されており、平面視では前後に直線状の形状（図３（ａ）参照）に形成されている。
ノズル部４０は、カバー部２０により押し下げられていない通常の状態（常態）においては、カバー部２０の下側の開口２０ａ（図４（ａ））から下方に突出している（図５（ａ）、（ｂ）参照）。
また、押下状態（図７（ａ）、（ｂ））では、ノズル部４０は、例えば、カバー部２０の内面に沿って延在するとともに、ノズル部４０の先端は、例えば、カバー部２０の内側に収まっている。ただし、押下状態において、ノズル部４０の先端部がカバー部２０から下方に突出するようになっていても良い。
ノズル部４０の内部空間は、ノズル部４０の基端部からノズル部４０の先端部の吐出口４１に亘って連通している。
【００２５】
ヘッド部３０がカバー部２０により押し下げられていない通常の状態（常態）においては、図２に示すバネ体５８の作用により、中間筒５３に対するヘッド部３０の上下方向位置が上限位置となる（図１、図２、図５（ａ）、（ｂ）等）。
一方、ユーザーがカバー部２０に対して押下操作を行うことにより、ヘッド部３０はカバー部２０によって下方に押されることによりバネ体５８の付勢に抗して押し下げられる。その結果、図７（ａ）及び（ｂ）に示すように、外筒部３２が中間筒５３に対して相対的に下降して外筒部３２が装着部５２に近づき、例えば、外筒部３２により中間筒５３が覆われた状態となる。
カバー部２０に対する押下操作が解除されると、ヘッド部３０は、バネ体５８の付勢に従って上昇し、常態に復帰する。
【００２６】
図２に示すように、液剤吐出器付きキャップ５０は、ヘッド部３０、中間筒５３、装着部５２及びバネ体５８の他に、ピストン５５、ハウジング５６、吸引管５７及び泡生成部５１を備えている。
ハウジング５６は、ピストン５５及びバネ体５８を収容しているとともに、中間筒５３、ヘッド本体部３１の内筒部、及びノズル部４０の内部を介して吐出口４１と連通している。
吸引管５７は、容器本体１０内の液剤１５０を吸い上げる管であり、ハウジング５６の内部と連通しているとともに、ハウジング５６から下方に垂下している。
液剤吐出器付きキャップ５０が口頸部１３に装着された状態で、ハウジング５６及び吸引管５７は容器本体１０の内部に位置する。
ピストン５５は、ハウジング５６内において上下方向に往復動が可能となっている。ピストン５５の下端には球状の弁体５９が形成されている。弁体５９は、ハウジング５６および吸引管５７に貯留された液剤１５０の流下を抑止する。ユーザーがカバー部２０を押し下げることによってヘッド部３０が押し下げられると、ピストン５５によりその下端の弁体５９の上昇（開放）が規制された状態で、ピストン５５はハウジング５６の内部の空気圧を上昇させる。ピストン５５には、ハウジング５６とヘッド部３０とを連通させる小孔の液流路（不図示）が設けられている。液流路の開口面積は十分に小さいため、ヘッド部３０を押し下げることによってハウジング５６の空気圧が上昇し、その後に液剤１５０はハウジング５６からヘッド部３０に押し上げられる。ヘッド部３０には、外部と連通する空気流路（不図示）が設けられている。
液剤吐出器付きキャップ５０の内部には液剤１５０の流路上に泡生成部５１が設けられている。泡生成部５１では、液剤１５０に対して空気が吹き付けられることにより、液剤１５０が粗い泡になる。この粗い泡が泡生成部５１における後段部分に配置されたメッシュを通過することにより、きめ細かく均一な泡体となる。そして、この泡体がノズル部４０を介して吐出口４１から吐出される。
カバー部２０の押下操作が解除されると、バネ体５８が弾性復帰することによってピストン５５が上方位置に復帰する。これによりハウジング５６の内部は低圧となり、弁体５９が開放されて新たな液剤１５０が吸引管５７を介してハウジング５６に吸い上げられる。なお、空気流路を通じて液剤吐出器付きキャップ５０の内部に外部の空気が取り込まれることによって液剤吐出器付きキャップ５０の内部は大気圧に維持される。
なお、ここで説明した液剤吐出器付きキャップ５０の構造および動作は一例であり、その他の広く知られている構造のものを本実施形態に適用しても何ら差し支えが無い。
【００２７】
カバー部２０は、例えば、曲面状の板状部材であるカバー本体２１を備えている。カバー本体２１は、ヘッド部３０の上方に位置する頂部２１ａと、ヘッド部３０の側方に位置する一対の側壁部２１ｂ、２１ｃと、を有している。そして、カバー本体２１は、軸支部の軸方向に対して平行で鉛直な断面において上に凸に湾曲している（図３（ｂ）参照）。
【００２８】
図４（ａ）及び（ｂ）に示すように、一対の側壁部２１ｂ、２１ｃの各々は、鉛直に起立している部分を含んでいる。このため、カバー部が例えば傘型などに形成されている場合と比べて、カバー部２０の押下操作の際におけるぐらつきを助長するモーメントが作用しにくくなるので、より安定的にカバー部２０を鉛直下方に押下することができる。
【００２９】
より詳細には、カバー部２０は（カバー本体２１は）、上に凸のドーム状（半球状）に形成されている。このため、カバー部２０を手で包み込むようにして、カバー部２０を押下する操作を、より容易に行うことができる。
好ましくは、カバー部２０は、図５（ｂ）に示す常態において、上側後方に向けて凸のドーム状に形成されている。このため、カバー部２０を後方から手で包み込むようにしてカバー部２０を押下する操作を、手首を無理な角度に曲げることなく容易に行うことができる。
なお、カバー部２０の（カバー本体２１の）開口２０ａ（図４（ａ））は、常態において前側下方を向いている。
また、カバー本体２１は、ノズル部４０の上方を覆う前壁部２１ｄと、ヘッド部３０の後方（ヘッド本体部３１の後方）を覆う後壁部２１ｅと、を含んでいる。
【００３０】
図５（ｂ）、図６（ｂ）及び図７（ｂ）に示すように、前壁部２１ｄの上面の前端部、すなわちカバー部２０の上面の前端部（上面前端部２０ｂ）は、前方に向けて下り傾斜している。
このため、ヘッド部３０の前端部まで手で包み込むようにしてカバー部２０を押下することが更に容易となるため、カバー部２０の押下操作をより安定的に行うことができる。
【００３１】
図３（ａ）に示すように、平面視において、カバー部２０は（カバー本体２１は）、ヘッド本体部３１の全体を覆っていることが好ましい。これにより、カバー部２０を押下する際に手がヘッド本体部３１を直に押下すること抑制されるため、確実にテコの原理を利用してヘッド本体部３１を押下することができる。
より詳細には、常態での平面視においてカバー部２０がヘッド本体部３１の全体を覆っているだけでなく、押下状態での平面視においてもカバー部２０がヘッド本体部３１の全体を覆っており、且つ、常態から押下状態に移行する過程、並びに、押下状態から常態に移行する過程のすべてにおいても、平面視においてカバー部２０がヘッド本体部３１の全体を覆っていることが好ましい。
なお、カバー部２０（カバー本体２１）は、例えば、幅方向（軸支部の軸方向）の寸法よりも前後方向の寸法の方が大きい形状に形成されている（図３（ａ）参照）。ただし、カバー部２０（カバー本体２１）の幅方向寸法と前後方向寸法との大小関係は、この例に限らない。
【００３２】
液剤吐出器付きキャップ５０は、更に、装着部５２の後部上面から立設された柱状の支持部５４を備えている。支持部５４は、例えば、中間筒５３よりも後方に配置されている。
図４（ｂ）に示すように、支持部５４は、カバー部２０を軸支するためのものであり、例えば、支持部５４の上端部には、カバー部２０を軸支する軸支凹部５４ａが形成されている（図４（ｂ））。
一方、カバー部２０の後端下部には、軸支凹部５４ａに嵌め込まれることによってカバー部２０を支持部５４に対して揺動可能に軸支させる軸部２２と、軸部２２を支持している支持部２３と、が形成されている。
より詳細には、カバー部２０の後端下部には、前方に向けて窪んだ凹部２４が形成されている。凹部２４は、下向きの内面を上端部に有しており、支持部２３は、この凹部２４の下向きの内面から下方に突出し、その突出方向先端部において軸部２２を支持している。
軸部２２は、軸方向がカバー部２０の幅方向を向く丸棒状の部分であり、カバー部２０の幅方向における寸法が支持部２３よりも大きく設定されている。
一方、軸支凹部５４ａは、軸部２２が嵌め込まれることによって軸部２２をその軸周りに回転可能に軸受けしている。
こうして、カバー部２０は、軸部２２と軸支凹部５４ａとにより構成される軸支部を介して支持部５４、ひいては装着部５２に対して揺動可能に軸支されている。
なお、軸支部の高さ位置は、常態において、例えば、図２に示すように、ヘッド本体部３１の上端部よりも低い位置となっており、好ましくは、ヘッド本体部３１の下端（外筒部３２の下端）と同等の高さ位置となっている。
【００３３】
上記のように、カバー部２０とヘッド部３０とは、作用部において相互に連結されている。
作用部は、例えば、ヘッド部３０のヘッド本体部３１の外筒部３２の側面から側方に突出した状態に形成されている突起部３３と、カバー部２０のカバー本体２１の内面に形成されている作用面２６ａと、によって構成されている。
より詳細には、外筒部３２の左側の側面には、左方に向けて水平に突出する円柱状の突起部３３が形成され、外筒部３２の右側の側面には、右方に向けて水平に突出する円柱状の突起部３３が形成されている。
一方、カバー本体２１の内面において、左右の突起部３３とそれぞれ対向する部位には、それぞれ突起部３３と係合する作用面２６ａが形成されている。より詳細には、カバー本体２１の左右の内面には、カバー本体２１の肉厚を部分的に厚肉にする厚肉部２５が形成されており、厚肉部２５には、カバー本体２１の内方側に向けて開口しているとともに前後方向に延在するガイド溝２６が形成されている。作用面２６ａは、ガイド溝２６の上側内面（つまり下向きの面）により構成されている。
したがって、作用部は、ヘッド部３０の側面（側方）に配置されている。
【００３４】
カバー部２０が押下操作されることにより、図５から図７に示すように、カバー部２０が軸支部を支点として揺動しながら、作用部においてカバー部２０からヘッド部３０に押下力が伝達されて、ヘッド部３０が装着部５２に対して相対的に押し下げられる。
このとき、作用面２６ａは、突起部３３に対して摺動しながら、突起部３３に対して相対的に徐々に前方に向けて弧状に移動する。このように作用面２６ａが移動する過程で、作用面２６ａは突起部３３を下方に押し下げる。
【００３５】
なお、ここで説明した例とは逆に、突起部３３がカバー本体２１の内面に形成されているとともに、作用面２６ａ（例えばガイド溝２６）がヘッド部３０の外面に形成されていても良い。この場合、作用面２６ａは、突起部３３に対して摺動しながら、突起部３３により下方に押し下げられる。
また、突起部３３の突出方向は、水平方向であることが好ましいが、水平方向成分を持つ方向であれば、水平方向以外の方向であっても良い。
すなわち、作用部は、ヘッド部３０又はカバー部２０の一方から水平方向成分を持つ方向に突出した状態に形成されている突起部３３と、ヘッド部３０又はカバー部２０の他方に形成され、突起部３３に対して摺動しながら突起部３３を下方に押し下げるか又は突起部３３により下方に押し下げられる作用面２６ａと、を含む。
【００３６】
ここで、作用面２６ａは、カバー部２０の揺動角度が第１角度のとき（例えば図５に示す状態のとき）と、揺動角度が第１角度とは異なる第２角度のとき（例えば図６に示す状態のとき）と、の各々において、作用面２６ａにおける突起部３３との接触部位が水平となる曲面形状に形成されている。
これにより、揺動角度が第１角度のときと第２角度のときとのいずれにおいても、作用面２６ａから突起部３３に対して鉛直下方に力を伝達することができるため、カバー部２０を押下する力をロスなくヘッド部３０を押し下げる力として用いることができる。
なお、例えば、図５に示す状態から図６に示す状態に移行する過程において、作用面２６ａにおける突起部３３との接触部位が水平に維持されるように、作用面２６ａの曲面形状が設定されていることが好ましい。
【００３７】
また、図５（ｂ）、図６（ｂ）及び図７（ｂ）に示すように、液剤吐出器付きキャップ５０を軸支部の軸方向に視た側面視（液剤吐出容器１００を軸支部の軸方向に視た側面視でもある）において、カバー部２０は作用部を覆っている。これにより、カバー部２０を押下操作する際に、作用部においてカバー部２０とヘッド部３０との間に指を挟んでしまうことが抑制されている。
【００３８】
なお、作用部の配置は、カバー部２０の揺動先端部と軸支部との間に作用部が位置している限りにおいて、特に限定されない。作用部がこのような配置となっていることにより、カバー部２０において作用部よりも揺動先端側の部分を押下することによって、テコの原理を利用して、ヘッド部３０を押し下げることができる。
例えば、作用部が軸支部と揺動先端部とのちょうど中間位置に配置されている場合には、カバー部２０の揺動先端部を押下することによって、直にヘッド部３０を押下する場合と比べておよそ１／２の大きさの力でヘッド部３０を押し下げることができる。
【００３９】
カバー部２０は、カバー本体２１の内面から起立している補強リブ２７を更に備えている。補強リブ２７は、例えば、平板な板状に形成され、左右方向に延在しているとともに、下部ほど前方に位置するように傾斜している。補強リブ２７は、例えば、作用部よりも前方に配置されており、好ましくは、作用部とカバー部２０の揺動先端部との中間位置に配置されている。
補強リブ２７の下端位置は、例えば、ノズル部４０の上端位置よりも下方となっている。そして、補強リブ２７には、補強リブ２７とノズル部４０との干渉を避けるための切欠形状部２７ａが形成されている。
【００４０】
なお、液剤吐出器付きキャップ５０は、例えば、左右対称に形成されており、ノズル部４０は、平面視において、カバー部２０の幅方向（左右方向）における中央部に配置されている（図３（ａ））。
【００４１】
次に、動作を説明する。
液剤吐出容器１００から泡体を吐出するためには、カバー部２０に対して押下操作を行う。これにより、作用部を介してカバー部２０によりヘッド部３０が押下され、ヘッド部３０はバネ体５８の付勢に抗して押し下げられる。ヘッド部３０が押し下げられることにより、ノズル部４０の吐出口４１から泡体が吐出される。
この際に、カバー部２０は、軸支部を支点として揺動し、徐々に前傾する（図５、図６、図７参照）。一例として、図７に示すように、押下状態では、カバー部２０の下縁が前方に向けて僅かに下り傾斜する状態となるまでカバー部２０が前傾するようになっている。
また、カバー部２０を押下する力を解除すると、ヘッド部３０はバネ体５８の付勢に従って、常態の位置まで上昇する。ヘッド部３０が上昇する際には、作用部を介してヘッド部３０がカバー部２０を押し上げる。すなわち、突起部３３が作用面２６ａを押し上げることによりカバー部２０が揺動し、カバー部２０は元の状態に復帰する。
【００４２】
なお、カバー部２０の押下操作は、カバー部２０を手で包み込むようにして行う操作に限らない。カバー部２０を指（例えば１本の指）で押下する操作であっても良い。カバー部２０を指（例えば１本の指）で押下操作しやすくするため、例えば、カバー部２０の上面の前端部における幅方向中央部には、１本の指の指先と対応するサイズの凹部２８が形成されている。
【００４３】
以上のような実施形態によれば、カバー部２０は、ヘッド部３０の上方に位置する頂部２１ａと、軸支部の軸方向に対して平行な方向においてヘッド部３０の両側に位置していてそれぞれ前後方向に延在する一対の側壁部２１ｂ、２１ｃと、を含み、軸支部の軸方向に対して平行で鉛直な断面において上に凸に湾曲している。
このため、ユーザーは、カバー部２０を手で包み込むようにしてカバー部２０を押下操作することができるので、カバー部２０に対する押下操作を、ぐらつきを抑制して安定的に行うことが容易となる。よって、テコの原理を利用してヘッド部３０を押し下げる操作をより安定的に行うことが可能である。
なお、テコの原理を利用してヘッド部３０を押し下げることができるため、１回の吐出操作により吐出される液剤１５０の容量が比較的多いタイプの液剤吐出容器１００においても、十分に軽い力でカバー部２０を押下することによって、ヘッド部３０を押し下げることができる。
また、本実施形態のように液剤１５０を泡体として吐出するタイプの液剤吐出容器１００では、液剤１５０をそのままの状態で吐出するタイプの液剤吐出容器と比べて液剤１５０の吐出のためのヘッド部３０の押し圧が大きくなるが、十分に軽い力でカバー部２０を押下することによって、ヘッド部３０を押し下げることが可能である。
また、液剤１５０の粘度が標準的なものよりも高粘度の場合であっても、十分軽い力でカバー部２０を押下することによって、ヘッド部３０を押し下げることができる。
【００４４】
本発明は上述の実施形態に限定されるものではなく、本発明の目的が達成される限りにおける種々の変形、改良等の態様も含む。実施形態及び各変形例において説明された事項は適宜、組み合わせることが可能である。
【００４５】
液剤吐出容器１００及び液剤吐出器付きキャップ５０の各構成要素は、個々に独立した存在である必要はない。複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００４６】
上記実施形態は、以下の技術思想を包含する。
＜１＞液剤を貯留する容器本体と、吐出口を有しているとともに、前記容器本体に対して相対的に押し下げられることにより前記吐出口から前記液剤を吐出するヘッド部と、前記容器本体に装着されるとともに、前記ヘッド部を上下動可能に保持している装着部と、前記装着部に対して揺動可能に軸支部において軸支されているとともに前記ヘッド部を上方から覆っているカバー部と、を備え、前記カバー部と前記ヘッド部とは、前記カバー部から前記ヘッド部に対して押下力を伝達する作用部であって前記カバー部の揺動先端部と前記軸支部との間に位置する作用部において相互に連結されており、前記カバー部が押下操作されることにより、前記カバー部が前記軸支部を支点として前記装着部に対して揺動しながら、前記作用部において前記カバー部から前記ヘッド部に押下力が伝達されて、前記ヘッド部が前記装着部及び前記容器本体に対して相対的に押し下げられるように構成されており、平面視において前記軸支部を基準として前記カバー部の揺動先端側が前方であり、前記カバー部は、前記ヘッド部の上方に位置する頂部と、前記軸支部の軸方向に対して平行な方向において前記ヘッド部の両側に位置していてそれぞれ前後方向に延在する一対の側壁部と、を含み、前記軸支部の軸方向に対して平行で鉛直な断面において上に凸に湾曲している液剤吐出容器。
＜２＞前記ヘッド部は、ヘッド本体部と、前記ヘッド本体部から前方に突出し、前記吐出口が形成されているノズル部と、を備え、前記一対の側壁部の下端は、前記ヘッド本体部の上面よりも下方に位置している＜１＞に記載の液剤吐出容器。
＜３＞前記作用部は、前記ヘッド部の側面に配置され、当該液剤吐出容器を前記軸支部の軸方向に視た側面視において、前記カバー部は、前記作用部を覆っている＜１＞又は＜２＞に記載の液剤吐出容器。
＜４＞前記作用部は、前記ヘッド部又は前記カバー部の一方から水平方向成分を持つ方向に突出した状態に形成されている突起部と、前記ヘッド部又は前記カバー部の他方に形成され、前記突起部に対して摺動しながら前記突起部を下方に押し下げるか又は前記突起部により下方に押し下げられる作用面と、を含み、前記作用面は、前記カバー部の揺動角度が第１角度のときと、前記揺動角度が前記第１角度とは異なる第２角度のときと、の各々において、前記作用面における前記突起部との接触部位が水平となる曲面形状に形成されている＜１＞から＜３＞のいずれか一項に記載の液剤吐出容器。
＜５＞前記カバー部の前記一対の側壁部の各々は、鉛直に起立している部分を含む＜１＞から＜４＞のいずれか一項に記載の液剤吐出容器。
＜６＞前記カバー部は上に凸のドーム状に形成されている＜１＞から＜５＞のいずれか一項に記載の液剤吐出容器。
＜７＞前記ヘッド部は、ヘッド本体部と、前記ヘッド本体部から前方に突出し、前記吐出口が形成されているノズル部と、を備え、前記カバー部は、平面視において前記ヘッド本体部の全体を覆っている＜１＞から＜６＞のいずれか一項に記載の液剤吐出容器。
＜８＞前記カバー部の上面の前端部は、前方に向けて下り傾斜している＜１＞から＜７＞のいずれか一項に記載の液剤吐出容器。
＜９＞液剤を貯留する容器本体に装着される装着部と、前記装着部に対して上下動可能に前記装着部に保持されているヘッド部であって、吐出口を有しているとともに前記装着部に対して相対的に押し下げられることにより前記吐出口から前記液剤を吐出するヘッド部と、前記装着部に対して揺動可能に軸支部において軸支されているとともに前記ヘッド部を上方から覆っているカバー部と、を備え、前記カバー部と前記ヘッド部とは、前記カバー部から前記ヘッド部に対して押下力を伝達する作用部であって前記カバー部の揺動先端部と前記軸支部との間に位置する作用部において相互に連結されており、前記カバー部が押下操作されることにより、前記カバー部が前記軸支部を支点として前記装着部に対して揺動しながら、前記作用部において前記カバー部から前記ヘッド部に押下力が伝達されて、前記ヘッド部が前記装着部に対して相対的に押し下げられるように構成されており、平面視において前記軸支部を基準として前記カバー部の揺動先端側が前方であり、前記カバー部は、前記ヘッド部の上方に位置する頂部と、前記軸支部の軸方向に対して平行な方向において前記ヘッド部の両側に位置していてそれぞれ前後方向に延在する一対の側壁部と、を含み、前記軸支部の軸方向に対して平行で鉛直な断面において上に凸に湾曲している液剤吐出器付きキャップ。
＜１０＞＜１＞から＜８＞のいずれか一項に記載の液剤吐出容器と、前記容器本体に充填された前記液剤と、を備える液剤吐出容器詰め品。
【符号の説明】
【００４７】
１０  容器本体
１１  胴部
１２  肩部
１３  口頸部
１４  底部
２０  カバー部
２０ａ  開口
２０ｂ  上面前端部
２１  カバー本体
２１ａ        頂部
２１ｂ        側壁部
２１ｃ        側壁部
２１ｄ        前壁部
２１ｅ        後壁部
２２  軸部（軸支部）
２３  支持部
２４  凹部
２５  厚肉部
２６  ガイド溝
２６ａ  作用面（作用部）
２７  補強リブ
２７ａ  切欠形状部
２８  凹部
３０  ヘッド部
３１  ヘッド本体部
３２  外筒部
３３  突起部（作用部）
４０  ノズル部
４１  吐出口
５０  液剤吐出器付きキャップ
５１  泡生成部
５２  装着部
５３  中間筒
５４  支持部
５４ａ  軸支凹部（軸支部）
５５  ピストン
５６  ハウジング
５７  吸引管
５８  バネ体
５９  弁体
６１  間隙
１００  液剤吐出容器
１５０  液剤
２００  液剤吐出容器詰め品
【図１】
2017197203.tif 000003
【図２】
2017197203.tif 000004
【図３】
2017197203.tif 000005
【図４】
2017197203.tif 000006
【図５】
2017197203.tif 000007
【図６】
2017197203.tif 000008
【図７】
2017197203.tif 000009